(57)【要約】      （修正有）【課題】畑作物の植え替えに際して苗を育苗カップより取り出す事なく、かつ根鉢を崩す事なく植え床に苗を植え込む事ができ、トマト、メロン等の吊り紐を用いて栽培する作物においては未だ生育途上の傷付き易い株元付近に吊り紐を結び付ける必要を無くする為の育苗具、ならびにこの育苗具を収納するトレイを組合せ用いた苗の植え替え栽培方法を提供する。【解決手段】育苗具１の側面及び底面に根の出る為の根進出貫通孔を多数散在状態に設けかつ、取り手２を設け、取り手上部に吊り紐を巻回し掛け止めする為の掛止部３なる切り欠け溝を施した育苗具を形成する。その育苗具を一定数収納するトレイ７に一定数納めた後種をまき、そのトレイを発芽機９に多数棚積み収納して発芽機内で苗を育成した後、発芽機よりトレイを引きだし、植え床に運び、トレイより苗（育苗具）を抜き出し、植え床１１に定植する。【選択図】図１
2004147638.tif 000002
【特許請求の範囲】
【請求項１】
苗と土とを収納し得る上部開口型の容体で、容体を形成する面に根の通る大きさの貫通孔を多数散在状態に設けた事を特徴とする育苗具。
【請求項２】
前記容体には深い植え穴にも容体を入れ易くする為、及びトレイより容体を抜き易くする為に  取り手  を設け取り手上部に吊り紐を着脱自在に掛止めする掛止部を設けた事を特徴とする請求項１、２のいずれか１項に記載の育苗具
【請求項３】
前記容体の取り手上部に切欠溝を形成することで前記掛止部を構成しこの切欠溝に前記吊り紐を掛け止めし得るように構成した事を特徴とする請求項２記載の育苗具。
【請求項４】
前記請求項１、２のいずれか１項に記載の育苗具を一定数収納するトレイに育苗具を納めた後、その育苗具内に土を収納して育苗具ごとに種をまき、そのトレイを多数棚積み収納できる発芽機に納めて発芽させ苗を育てた後このトレイを発芽機の棚より取りだして定植床に持って行き、育苗具をトレイより抜いて育苗具ごと定植床に植え付ける事を特徴とする育苗具とトレイを用いた苗の定植植え替え方法。
【発明の詳細な説明】
［発明の属する技術分野］
本発明は畑作に於ける種まきから定植床への苗の植え替えを容易にする育苗具並に育苗具と同育苗具を一定数収納するトレイを組合せ用いた播種、育苗、苗の植え替え方法に関するものである。
［従来の技術及び発明が解決しようとする課題］
従来の苗の育成方法は種を蒔いて発芽させ双葉が展開してから鉢上げ作業を行いそのビニールカップで苗を成長させた後、ビニールカップから苗を取り出し定植床に植え替え、するという方法が一般的である。しかしながら、このような従来の植え替え方法では苗の根域に付着した土がパラパラと崩れてしまい土に馴染みかけていた根が土から離れてしまい、根痛みの原因の一つと成っている
本発明はこれを解決するもので、植え替えに際して苗の根鉢を崩すことなく植え替えが出来る画期的な育苗具並びにこの育苗具を一定数収納するトレイを棚積み収納して育てた苗の植え替え方法を提供するものである。
［課題を解決するための手段］
土を収納し得る上部開口型の容体で、容体を形成する面には根が通る大きさの貫通孔を多数散在状態に設けたことを特徴とする請求項１記載の育苗具に係るものである。また前記容体には深い植え穴に同容体を入れ易くする為及びトレイから容体を取り出し易くする為に  取り手  を設け、その取り手上部には吊り紐を着脱自在に掛止めする事が出来る様に切欠溝を形成し吊り紐の掛け止部を構成することを特徴とする育苗具に係るものである。
［発明の実施の形態］
好適と考える本発明の実施の形態（発明をどのように実施するか）を説明する。本発明の育苗具たる容体を一定数収納するトレイに育苗具を一定数収納した後育苗具に土を入れ種を蒔く。後、今度は種を蒔いた育苗具を一定数収納したトレイを育苗機に一定数、棚積み収納し育苗機で発芽させ、苗を定植できる大きさまで成長させる。そしてこの定植できる大きさの苗を納めた育苗具を収納したトレイを育苗機の棚から抜き出し植え床に運び、トレイより育苗具を取り出し、植え穴に育苗具ごと苗を植え付ける。その後、苗の成長により根が植え床中に広く張ることになるがこの根は育苗具に設けた貫通孔を通って植え床に及ぶことになり、育苗具が根の成長の妨げとなることはない。従って植え替えに際して従来のようにビニールカップから取り出した苗の根鉢を崩すことなく、植え替えが出来るので根痛みも生じにくく、単に育苗具ごと植え付けるので作業性に秀れ実用性に秀れた画期的な育苗具並びに育苗具とトレイを組合せ用いた苗の植え替え方法となる。また、前記育苗具の取り手上部には吊り紐を着脱自在に掛かり止めする事の出来るくさび型の掛止部を設けて有るので例えばメロン、トマトなどの吊り紐に巻き付かせて栽培する作物栽培において、この掛止部に吊り紐もの一端を掛かり止めし他端を上方のハウス骨組に連結した鉄筋、針金等に掛止めする事で簡易に吊り紐を設置することが出来る為このような作物の栽培においては大変有用となる。即ち従来このような吊り紐を必要とする作物の栽培は苗を定植床に定植した後、苗の成長により苗自身が自立できなくなって地面（植床）に倒れかかる前に苗の茎の根元より少し上くらいの所に吊り紐の一端を縛り付けると共に、他端をハウスの骨組に連結した針金等に縛り付けて吊り紐を略立直状態に設置して、この吊り紐に作物本体、蔓等を巻き付かせていたがこのような吊り紐の設置方法だと、吊り紐を茎に緩く縛り付けた場合には茎から吊り紐の縛り付け部分がずり下がってしまうし、ずり下がらない様に茎にきゅうくつに縛り付けた場合には茎が成長して太くなるに従い吊り紐が茎に喰い込むかたちに成り根への養分の移行が阻害されることに成って終うために、この茎への縛り付けは茎に対してずり落ちる事なく且つ茎の成長に伴って茎には喰い込まないような微みよう且繊細な締付け度合いとしなければならず、非常に難しく手間、暇を要し腰痛を伴い、又は引き起こす作業であった。しかしながらこの構成によれば掛止部を利用することで、茎に直接吊り紐を縛り付けなくとも良いので吊り紐の設置作業を極めて容易に行うことが出来るし、茎を傷つけることも無いなど秀れた実用上の効果を発揮することになる。
［実施例］
本発明の具体的な実施例について説明すると図１は本発明の使用説明図であるが吊り紐を必要としない作物の栽培においては図２の如く取り手を設けない育苗具又は取り手を少し短くし掛止部を構成しなくとも良い。取り手を設けない場合は当然のことながら育苗具をトレイより抜き易くする為トレイの深さより育苗具のほうが指先がかかる程度高くする。吊り紐を必要としない作物に使用する場合は育苗具を使い捨て形式とする事もできる。具体的に説明するとこの育苗具が“形”をなしている期間は土を入れ種を蒔き発芽させ苗を成長させ植え床の植え穴に定植するまでの間でよく、定植直後より畑土中の微生物又は微生物の助けを借りて分解腐蝕する材料を用いても良い。本実施例では育苗具の形状を上部開口型の円筒形に根の進出用貫通孔を設けたけれどこれは三角柱、四角柱、六角柱等の任意の上部開口型の多角形容体としても良いし、これらに設ける根進出用貫通孔についても三角形から円を含む円に限り無く近い多角形までの間の任意の形状又はこれらの組合わせから得られる形状とする事も可能である。畑土の土質によっては植床に植え穴を掘る事無く、本育苗具の先端を図３の如く八角錐状又は円錐状等任意に尖らせて尖鋭状に形成して、植え床を覆ったビニールマルチのうえからこの育苗具の尖鋭部から苗を植え床に差し込み定植を完了し得るように構成している。また本実施例では、掛止部たる切欠溝を先細くなるように形成しこの先細部に吊り紐を巻喰い込ませて強固に係り止めできるように構成している。
［発明の効果］
本発明は上述のように構成したから、植え替えに際して従来の様にビニールカップから苗を取り出す事無く、また苗の根鉢を崩す事なく定植ができるので根痛みも生じにくいこととなり、しかも定植床へ単に育苗具内で育成された苗をその育苗具ごと定植するために株元から土が崩れ落ちることもないから、従来のように崩れ落ちた土を補充するために株元に土をかける作業も不要となる等、極めて作業性に秀れ実用性に秀れた画期的な育苗具並びに育苗具を収納するトレイを組合せ用いた苗の植え替え方法となる。また請求項３記載の発明に於いては例えば、メロンやトマトなどの吊り紐に巻き付かせる作物栽培に於いて、従来のように茎に直接吊り紐を縛り付けずとも、掛止部に吊り紐を巻回し掛け止めすることで吊り紐を設置する事ができるので、この吊り紐の設置作業を極めて容易に行うことができるし、茎を傷つける事もないから病害の発生を抑制する事も併せ持つ事が可能であり、その上、従来の定植方法では苗がある程度の大きさに成るまで茎への吊り紐の縛り付け作業は不可能であったが、この掛止部に吊り紐を掛止め出来るので育苗具を植え床の植え穴に定植した、その時から吊り紐の設置作業を行うことが出来るので吊り紐の設置作業を平坦化することができ、農作物の収穫に至るまでに必ず何回かついてまわる「猫の手も借りたい」忙しさをも軽減できることになるなど、この様な吊り紐を使用する作物の栽培に於いては大変有効となる一層実用性に秀れた育苗具となる。
【図面の簡単な説明】
【図  １】本発明を行う為の育苗具、それを収納するトレイ。トレイを発芽機に棚積み収納、育成した苗を植え床に定植し、掛止部に吊り紐を張った使用説明参考斜視図。
【図  ２】吊り紐を用いない作物の栽培又は育苗具を使い捨て形式として本発明を行う場合の使用説明参考斜視図。
【図  ３】本発明を行う育苗具の先端を尖鋭状に形成し、従来例の植え床に植え穴を掘る代わりに植え床に敷設したビニールマルチの上から育苗具の尖鋭部を利用して突き刺し、植え床に苗（育苗具）を植え付ける状態を示す使用説明参考斜視図。
【符号の説明】
１…育苗具。  ２…取り手。  ３…掛止部。  ４…根進出用貫通孔。  ５…種
６…土。  ７…トレイ。  ８…育苗具収納穴。  ９…発芽機。  １０…苗。
１１…植え床。  １２…ビニールマルチ。  １３…植え穴。  １４…吊り紐。
１５…上部吊り紐掛け止め用針金等。  １６…育苗具の先端を尖らせた場合の
尖鋭部。
【図１】
2004147638.tif 000003
【図２】
2004147638.tif 000004
【図３】
2004147638.tif 000005